(57)【要約】【課題】鍵に木質感を付与しつつ、鍵機能部の設計の自由度を高めて高精度の鍵機能を容易に確保する。【解決手段】樹脂製の鍵ベース体１４０の基端部１４０ａから前方に向けて、上板部１４０ｃが延設される。木製の木質部１６０は、上板部１４０ｃに沿って略平行に上板部１４０ｃの下部に接着される。上板部１４０ｃからは、鍵機能部として被キーガイド部１４０ｅ、質量体駆動部１４０ｆ等が、それぞれ一体に形成され、下方に向けてそれぞれ木質部１６０を貫通して垂設されている。【選択図】図４
2006163443.tif 000002
【特許請求の範囲】
【請求項１】
鍵操作面を提供する上板部を有する長尺の鍵ベース体と、
前記鍵ベース体の前記上板部の下面に接着され、当該鍵構造体の長手方向における両側面に見えるように配された木質部とを有し、
前記鍵ベース体には、少なくとも１つの鍵機能部が一体に形成されたことを特徴とする鍵構造体。
【請求項２】
前記鍵機能部の少なくとも１つは、前記上板部から前記木質部を貫通して垂設されていることを特徴とする請求項１記載の鍵構造体。
【発明の詳細な説明】
【技術分野】
【０００１】
本発明は、木質部を有する鍵に適用される鍵構造体に関する。
【背景技術】
【０００２】
従来、質感向上等のため、鍵として機能する鍵構造体に木材を採用することが行われている。木質系の鍵構造体としては、その入手性から、例えば、アコースティックピアノ用の木製鍵が流用される場合が多い（下記特許文献１、２参照）。
【０００３】
また一般に、鍵構造体には、鍵支点部のほか、質量体や鍵スイッチ等の他要素を駆動するための駆動部や、鍵動作ガイドに案内されるための被ガイド機構部等の鍵機能部が設けられる。
【特許文献１】特開平０５−３１３６５６号公報
【特許文献２】特開２０００−９９０２６号公報
【発明の開示】
【発明が解決しようとする課題】
【０００４】
しかしながら、上記従来の鍵構造体では、鍵支点部や各種駆動部、機構部についても木質部分を加工して構成していたため、それらの機能や形状に関する設計の自由度が低く、加工精度の点でも劣り制約が多いことから、精度の高い鍵機能を確保することが容易でないという問題があった。
【０００５】
本発明は上記従来技術の問題を解決するためになされたものであり、その目的は、鍵に木質感を付与しつつ、鍵機能部の設計の自由度を高めて高精度の鍵機能を容易に確保することができる鍵構造体を提供することにある。
【課題を解決するための手段】
【０００６】
上記目的を達成するために本発明の請求項１の鍵構造体は、鍵操作面を提供する上板部を有する長尺の鍵ベース体と、前記鍵ベース体の前記上板部の下面に接着され、当該鍵構造体の長手方向における両側面に見えるように配された木質部とを有し、前記鍵ベース体には、少なくとも１つの鍵機能部が一体に形成されたことを特徴とする。
【発明の効果】
【０００７】
本発明によれば、鍵に木質感を付与しつつ、鍵機能部の設計の自由度を高めて高精度の鍵機能を容易に確保することができる。
【発明を実施するための最良の形態】
【０００８】
以下、本発明の実施の形態を図面を参照して説明する。
【０００９】
図１は、本発明の第１の実施の形態に係る鍵構造体を含む鍵盤装置の断面図である。
【００１０】
鍵構造体１００は鍵として機能し、同図はＢ鍵とＣ鍵との間で切断した断面を示す。従って、同図では、Ｂ鍵である鍵構造体１００については、奏者からみて右側面図が表されている。鍵構造体１００は、白鍵に適用されるが、黒鍵にも適用してもよい。なお、以降、本鍵盤装置や鍵構造体１００の奏者側を前方と呼称する。
【００１１】
鍵構造体１００は、鍵ベース体４０（鍵機能部材）と鍵胴体部ＢＯＤとが一体に結合して構成され、鍵胴体部ＢＯＤは、上板体５０と木製の木質部６０とから成る。上板体５０は、前部５０ａと、鍵操作面を提供する上板部５０ｂとが樹脂で一体に形成されて成る。木質部６０は、上板体５０の上板部５０ｂとほぼ同じ長さを有し、上板部５０ｂ及び前部５０ａに接着されることで、上板体５０に結合されて、これにより鍵胴体部ＢＯＤが構成される。
【００１２】
鍵ベース体４０は、基端部４０ａと、該基端部４０ａから前方に延設された延設部４０ｂとが樹脂部材で一体に形成されて成り、さらに延設部４０ｂには、いずれも鍵機能部である被キーガイド部４２（被ガイド機構部）、質量体駆動部４３、鍵アクチュエータ４４（スイッチ駆動部）及び鍵脱落防止機構部４５が一体に形成されている。延設部４０ｂは、上記鍵胴体部ＢＯＤの長手方向に略平行に、上板体５０の前部５０ａまで延びている。基端部４０ａは、鍵構造体１００の後端部にも相当する。基端部４０ａの後部には回動支点４１が設けられ、鍵構造体１００は、回動支点４１を中心として上下方向に回動自在になっている。質量体駆動部４３の下端部には、円滑な摺動を確保するためのすべり部材４６が装着されている。
【００１３】
一方、鍵構造体１００の下方には、各鍵構造体１００に対応して質量体７１が配設される。質量体７１の被駆動部７１ａは、押鍵操作に応じて、鍵ベース体４０の質量体駆動部４３を介してすべり部材４６に駆動される。これによって、質量体７１が質量体回動軸７２を中心に回動することで、適当な押鍵感触が与えられる。また、本鍵盤装置には、それぞれ２メイク式の第１鍵スイッチ７３、第２鍵スイッチ７４が設けられる。第１鍵スイッチ７３は、鍵ベース体４０の鍵アクチュエータ４４によって押圧駆動されて、鍵動作を検出する。第２鍵スイッチ７４は、質量体７１に設けられた鍵アクチュエータ７１ｂによって押圧駆動されて、鍵動作を検出する。両鍵スイッチ７３、７４が異なるタイミングでオフタッチを含む鍵動作を検出することから、これらの検出結果を基に多彩な楽音制御が可能となっている。
【００１４】
本鍵盤装置にはまた、鍵動作ガイド７５及び係合部７７が設けられる。鍵構造体１００の被キーガイド部４２は、鍵操作時には、鍵動作ガイド７５に案内されて、これにより、鍵構造体１００の鍵並び方向（鍵構造体１００の左右方向）への揺動が抑制される。鍵脱落防止機構部４５は、係合部７７と係合して、鍵操作時における鍵構造体１００の主として前方への脱落を防止する。
【００１５】
図２は、鍵構造体１００の各位置での断面を示す図である。同図（ａ）〜（ｆ）はそれぞれ、図１のＡ−Ａ線〜Ｆ−Ｆ線に沿う断面図である。なお、図２はＢ鍵を例示しているので、隣接する黒鍵（Ｇ＃鍵）が配設されるための逃げ部を有することから、鍵構造体１００の幅は、同図（ｂ）〜（ｆ）では奏者からみた左側（側面１００ａ側）が狭くなっている。
【００１６】
図２（ａ）に示すように、鍵構造体１００は、上板体５０の上板部５０ｂと鍵ベース体４０とで木質部６０を挟み込むようにして構成される。鍵ベース体４０の延設部４０ｂの上部には、前部から、延設部４０ｂと基端部４０ａとの接続部近傍に亘って突条部４０ｃが形成される。また、木質部６０には、突条部４０ｃに嵌合的な形状をした溝状凹部６０ｃが形成されている。そして、まず、鍵胴体部ＢＯＤを作成してから、木質部６０の溝状凹部６０ｃに延設部４０ｂの突条部４０ｃを嵌合させ、木質部６０と延設部４０ｂとを接着することで、鍵構造体１００が構成される。
【００１７】
木質部６０は、鍵構造体１００に木質感を付与する役割を果たす。すなわち、押鍵時には、押鍵鍵の隣の鍵の側面の一部が奏者から見えるが、木製の木質部６０を鍵構造体１００の側面１００ａ、１００ｂに配したことから、奏者にとっては、木質部６０の側面６０ａ、６０ｂが視認され、鍵構造体１００が上面や前面を除いて木材で構成されているかのように見える。これにより、鍵構造体１００に木質感が付与され、高級感が与えられる。
【００１８】
また、図１に示すように、本鍵盤装置には、鍵構造体１００の上方においてパネル部７６が設けられている。パネル部７６は、不図示の各種操作子や表示部を備えると共に、それより後方部分を目隠しする目隠し部としての役割も果たしている。ここで、木質部６０は、鍵胴体部ＢＯＤは、パネル部７６より後方まで延設されているので、鍵胴体部ＢＯＤと鍵ベース体４０の基端部４０ａとの境目が奏者からは見えないようになっており、外観を向上させている。
【００１９】
本実施の形態によれば、鍵胴体部ＢＯＤの長手方向における側面に木質部６０の木質面である側面６０ａ、６０ｂを配したので、鍵操作時には奏者から木質部６０が視認され、木質感が付与される。また、長尺の鍵胴体部ＢＯＤと鍵ベース体４０とを一体に動作可能にすると共に、鍵ベース体４０の延設部４０ｂを鍵胴体部ＢＯＤの長手方向に沿って略平行に形成し、さらに延設部４０ｂには、被キーガイド部４２等の、鍵としての機能を発揮する鍵機能部を一体に形成したので、従来のように、木質鍵を採用して鍵機能部について木質部分を加工する場合に比し、それらの機能や形状に関する設計の自由度が高く、加工精度の点でも優れることから、精度の高い鍵機能を確保することが容易である。よって、鍵に木質感を付与しつつ、鍵機能部の設計の自由度を高めて高精度の鍵機能を容易に確保することができる。
【００２０】
また、鍵ベース体４０を樹脂で形成したので、鍵機能部を含め、設計の自由度、耐久性及び耐摩耗性を高めることができ、鍵機能の一層高い精度を長期に亘って維持することができる。さらに、木質部６０が鍵構造体１００においていわゆる中詰まり状態となっていることから、高剛性が確保される。
【００２１】
なお、鍵構造体１００の構成は例示したものに限られない。
【００２２】
図３は、鍵構造体の変形例を示す図である。同図（ａ）〜（ｄ）では、該変形例の図２（ａ）に対応する断面図を示す。
【００２３】
例えば、図３（ａ）の例では、上記上板部５０及び鍵ベース体４０に相当する部分が樹脂で一体に形成されている。すなわち、上板部１０ａと下板部１０ｃとが連結部１０ｂで連結され、断面形状は、「Ｈ」を横倒させた形になっている。この例では、木質部は木質部２０Ｌ、２０Ｒに分けて構成され、連結部１０ｂの両側に配設されることで、鍵構造体が構成される。
【００２４】
また、図３（ｂ）の例では、樹脂製の上板部３１から下方に向けて突条部３１ａを設ける一方、連結部３２ａと下板部３２ｂとを樹脂で一体に形成し、連結部３２ａの上部には突条部３１ａに嵌合的な溝状凹部３２ａａを設ける。そして、上板部３１の突条部３１ａを連結部３２ａの凹部３２ａａに接着嵌合させ、図３（ａ）の例と同様に木質部２０Ｌ、２０Ｒを配設することで、一体に結合した鍵構造体が構成される。
【００２５】
また、図３（ｃ）に示すように、２本の連結部３３ｂ、３３ｃで、上板部３３ａと下板部３３ｄ、３３ｅを連結するように樹脂で一体に形成してもよい。この場合は、両連結部３３ｂ、３３ｃ間に凹部３５が形成される。そして、上記木質部２０Ｌ、２０Ｒより薄い木質部３４Ｌ、３４Ｒが連結部３３ｂ、３３ｃの外側に配設されることで、鍵構造体が構成される。
【００２６】
また、図３（ｄ）に示すように、いずれも樹脂製の上板部３６と下板部３８とで木質部３７を上下方向から挟み、接着して、一体に結合した鍵構造体を構成してもよい。
【００２７】
（第２の実施の形態）
図４は、本発明の第２の実施の形態に係る鍵構造体の構成を示す側面図である。
【００２８】
第１の実施の形態では、鍵構造体１００は、鍵ベース体４０と鍵胴体部ＢＯＤとで成り、鍵胴体部ＢＯＤは、上板体５０と木質部６０とから構成された。また、鍵ベース体４０には基端部４０ａから延設部４０ｂが延設され、「鍵機能部」は、延設部４０ｂに一体に形成された。
【００２９】
これに対し、本発明の第２の実施の形態では、鍵胴体部ＢＯＤ２は、鍵ベース体１４０と木質部１６０とから成る。そして、「鍵機能部」は、鍵ベース体１４０に一体に形成される。
【００３０】
すなわち、樹脂製の鍵ベース体１４０の基端部１４０ａの後部には回動支点１４０ｂが設けられ、基端部１４０ａから前方に向けて、上板部１４０ｃが延設される。上板部１４０ｃからは、前部１４０ｄの他、「鍵機能部」として被キーガイド部１４０ｅ、質量体駆動部１４０ｆ、鍵アクチュエータ１４０ｇ及び鍵脱落防止機構部１４０ｈが、下方に向けてそれぞれ木質部１６０を貫通して垂設されている。木製の木質部１６０は、上板部１４０ｃに沿って略平行に上板部１４０ｃの下部に接着される。
【００３１】
本実施の形態では、上板部１４０ｃが「鍵胴体部」と「鍵機能部材」とを兼ねることになるが、本実施の形態によれば、鍵胴体部ＢＯＤ２の長手方向における側面に木質部１６０の木質面を配し、また、鍵ベース体１４０の上板部１４０ｃに鍵機能部を一体に形成したので、鍵に木質感を付与すること、及び鍵機能部の設計の自由度を高めて高精度の鍵機能を容易に確保することに関し、第１の実施の形態と同様の効果を奏することができる。
【００３２】
なお、木質部の配設は黒鍵にも同様に適用してもよい。また、第１の実施の形態では、鍵構造体１００の両側面に木質部６０を配したが、鍵操作時において外観となって視認される部分だけに木質部６０を設けるようにしてもよい。すなわち、第１の実施の形態では、全白鍵用の鍵構造体１００の両側面の前部から後部に亘って木質部６０を配設したが、木質感を維持しつつコストを削減する観点からは、白鍵用の鍵構造体１００の両側面のうち、黒鍵が隣接しない部分においてのみ配設するようにしてもよい。これは第２の実施の形態についても適用してもよい。
【００３３】
なお、木質感付与の観点からは、木質部は木材でなくても、木質系材であればよく、例えば、木目調の化粧板（印刷、コート、塗装、つき板等も含む）、合板、木質材（ＭＤＦ）等を採用してもよい。
【００３４】
なお、鍵ベース体４０は樹脂で構成したが、一体に形成される被キーガイド部４２等の鍵機能部の耐久性や性能が維持でき、且つ加工容易な材料であれば、他の材料、例えば金属で構成してもよい。また、すべての鍵機能部を鍵ベース体４０と一体に形成する必要は必ずしもなく、一部の鍵機能部についてのみ適用してもい。
【図面の簡単な説明】
【００３５】
【図１】本発明の第１の実施の形態に係る鍵構造体を含む鍵盤装置の断面図である。
【図２】鍵構造体の各位置での断面を示す図である。
【図３】鍵構造体の変形例を示す図である。
【図４】本発明の第２の実施の形態に係る鍵構造体の構成を示す側面図である。
【符号の説明】
【００３６】
１００  鍵構造体、  １４０  鍵ベース体、  １４０ｃ  上板部、  １６０  木質部、  １４０ｅ  被キーガイド部（鍵機能部の一部）、  １４０ｆ  質量体駆動部（鍵機能部の一部）、  １４０ｇ  鍵アクチュエータ（鍵機能部の一部）、  １４０ｈ  鍵脱落防止機構部（鍵機能部の一部）
【図１】
2006163443.tif 000003
【図２】
2006163443.tif 000004
【図３】
2006163443.tif 000005
【図４】
2006163443.tif 000006